(57)【特許請求の範囲】
【請求項１】
電気接続箱のケース本体に収容した内部回路材に下方から接続する電線群が、前記ケース本体の下部に結合されるロアカバーの底壁に設けた電線引出口から引き出され、該引き出された電線群を屈曲させてロアカバーの底壁下面に沿って配線している車載用電気接続箱であって、
前記ロアカバーを第一ロアカバーと第二ロアカバーとに前記電線群の配索方向に沿って二分割し、
前記第二ロアカバーの底部には、前記第一ロアカバーの底壁よりも下方位置に、電線屈曲引出ガイド部を設け、該電線屈曲引出ガイド部を第一ロアカバーの底壁の接合端の下方で開口して前記電線引出口を設け、かつ、
前記第二ロアカバーの底壁からケース本体側へ突設する側壁の上端に、ケース本体とのロック用の上部ロック部を設けると共に、該第二ロアカバーの側壁の第一ロアカバーとの接合部側の部分に、第一ロアカバーとのロック用の側部ロック部を設け、
前記第一ロアカバーには前記第二ロアカバーの側部ロック部と結合する被ロック部と、ケース本体とのロック部を設け、
前記ケース本体には、第一、第二ロアカバーの前記ロック部とそれぞれ結合する被ロック部を設けており、
前記第一ロアカバーをケース本体にロック結合して前記電線群を第二ロアカバーとの接合部へとガイドさせている一方、前記第二ロアカバーの上部ロック部をケース本体の被ロック部に引っかけて、前記電線群が前記電線屈曲引出ガイド部から引き出されるようにガイドしながら回転させて、第一、第二ロアカバー同士をロック結合させている電気接続箱。
【請求項２】
前記第二ロアカバーの前記側部ロック部は、第二ロアカバーの側壁より第一ロアカバー側に突設して第一ロアカバーの側壁の外面側に当接する接合壁に設けられたロック穴からなり、前記上部ロック部は、第二ロアカバーの上端部に設けたロック片の先端を外側にＬ状に屈曲させて係止爪を設けた形状とし、
前記上部ロック部と結合するケース本体の被ロック部は、前記係止爪が回転可に係止する係止穴からなる請求項１に記載の電気接続箱。
【発明の詳細な説明】
【技術分野】
【０００１】
本発明は電気接続箱に関し、特に、車載用電気接続箱の下方から引き出される電線群の配線方向を規制するものに関する。
【背景技術】
【０００２】
自動車に搭載される電気接続箱として、ロアカバーから引き出すワイヤハーネスの方向規制をする場合、例えば、特開２００５−３０４１３４号（特許文献１）において、図４に示す電気接続箱が提供されている。
【０００３】
前記電気接続箱では、ケース本体２に収容された内部回路材（図示せず）に接続されたワイヤハーネス５をロアカバー３に設けた電線引出口６から引き出し、電線引出口６に連結したプロテクタ７の管部８にワイヤハーネス５を挿通して導出し、ワイヤハーネス５の配索方向を管部８で規制している。
この場合、管部８を二方向に設けておくことによってワイヤハーネス５を二方向に分岐配線でき、さらに、プロテクタ７を電線引出口６に対して回動自在に連結することによってワイヤハーネス５の配索方向を調節することも可能となる。
【０００４】
しかしながら、前記構成では、ワイヤハーネスを方向規制するために別部材からなるプロテクタ７を必要とし、部品点数が増えてコスト高となると共に、作業性も良くない。
また、前記電気接続箱１は、電線引出口６に連結されるプロテクタ７の結合部９により、高さ方向に嵩高となり、スペース的に配置できない場合もある。
【０００５】
【特許文献１】特開２００５−３０４１３４号公報
【発明の開示】
【発明が解決しようとする課題】
【０００６】
本発明は前記問題に鑑みてなされたもので、電気接続箱のロアカバーから引き出されるワイヤハーネスの配索方向を、別部材を用いることなく容易に、かつ、省スペースに規制できる電気接続箱の提供を課題としている。
【課題を解決するための手段】
【０００７】
前記課題を解決するために、本発明は、電気接続箱のケース本体に収容した内部回路材に下方から接続する電線群が、前記ケース本体の下部に結合されるロアカバーの底壁に設けた電線引出口から引き出され、該引き出された電線群を屈曲させてロアカバーの底壁下面に沿って配線している車載用電気接続箱であって、
前記ロアカバーを第一ロアカバーと第二ロアカバーとに前記電線群の配索方向に沿って二分割し、
前記第二ロアカバーの底部には、前記第一ロアカバーの底壁よりも下方位置に、電線屈曲引出ガイド部を設け、該電線屈曲引出ガイド部を第一ロアカバーの底壁の接合端の下方で開口して前記電線引出口を設け、かつ、
前記第二ロアカバーの底壁からケース本体側へ突設する側壁の上端に、ケース本体とのロック用の上部ロック部を設けると共に、該第二ロアカバーの側壁の第一ロアカバーとの接合部側の部分に、第一ロアカバーとのロック用の側部ロック部を設け、
前記第一ロアカバーには前記第二ロアカバーの側部ロック部と結合する被ロック部と、ケース本体とのロック部を設け、
前記ケース本体には、第一、第二ロアカバーの前記ロック部とそれぞれ結合する被ロック部を設けており、
前記第一ロアカバーをケース本体にロック結合して前記電線群を第二ロアカバーとの接合部へとガイドさせている一方、前記第二ロアカバーの上部ロック部をケース本体の被ロック部に引っかけて、前記電線群が前記電線屈曲引出ガイド部から引き出されるようにガイドしながら回転させて、第一、第二ロアカバー同士をロック結合させている電気接続箱を提供している。
【０００８】
前記構成の電気接続箱は、第二ロアカバーをケース本体と第一ロアカバーにロック結合するだけで、電線群を屈曲させ、該電線屈曲引出ガイド部がガイドする方向へ配索方向を規制することができる。従って、方向規制用のプロテクタやバンド、テープなどの別部材が不要となるため、作業性が良く、かつ、低コスト化を図ることができる。
【０００９】
また前記電線屈曲引出ガイド部により、電線を第一ロアカバーの底壁に近接した位置にガイドし配索できるため、電気接続箱の総高さを抑制でき、車内の限られた配索スペースを有効利用できるとともに、電線長も抑制でき、コストを削減できる。
【００１０】
前記第二ロアカバーの前記側部ロック部は、第二ロアカバーの側壁より第一ロアカバー側に突設して第一ロアカバーの側壁の外面側に当接する接合壁に設けられたロック穴からなり、前記上部ロック部は、第二ロアカバーの上端部に設けたロック片の先端を外側にＬ状に屈曲させて係止爪を設けた形状とし、
前記上部ロック部と結合するケース本体の被ロック部は、前記係止爪が回転可に係止する係止穴からなる。
これにより、第二ロアカバーをケース本体と第一ロアカバーへ組み付ける作業をワンタッチで完了させることができるうえ、同時に電線群の方向規制も完了するため、作業性を大幅に向上させることができる。
【００１１】
前記第一ロアカバーの底壁に結束バンド用穴を設け、前記電線屈曲引出ガイド部の先端より引き出された前記電線群を結束バンドで結束し、該結束バンドを前記結束バンド穴に挿入係止している。
これにより、前記電線屈曲引出ガイド部から導出した電線が垂れ下がったり湾曲することを防止し、第一ロアカバーの底壁に確実に沿うように配索することができると共に、径の太い電線でも、容易かつ確実に方向規制することができる。
【発明の効果】
【００１２】
上述したように、本発明によれば、別部材を用いることなく、第一、第二ロアカバーの組み付けのみによって電線群の配索方向を規制できるため、作業性が向上すると共に、コストも削減できる。
【００１３】
また、電線屈曲引出ガイド部から引き出された電線は、第一ロアカバーの底壁に沿って配索されるため、電気接続箱の総高さおよび電線長を抑制できる。
【００１４】
さらに、結束バンドを用いて電線を第一ロアカバーの底壁に固定することにより、引き出された電線の垂れ下がりを防止できると共に、径の太い電線でも容易かつ確実に方向規制できる。
【発明を実施するための最良の形態】
【００１５】
以下、本発明の実施形態を図面を参照して説明する。
図１乃至図３は本発明の第一実施形態に係る自動車用の電気接続箱１０を示す。
電気接続箱１０は、図１に示すように、内部回路材（図示せず）を収容したケース本体１１と、該ケース本体１１の上下面に被せるアッパーカバー１２とロアカバー１３とを備えている。前記ケース本体１１の上面には、リレー嵌合部１４、コネクタ嵌合部１５およびヒューズ嵌合部１６を形成している。
【００１６】
前記ロアカバー１３は、図１および図２に示すように、左右に二分割され、互いに３つの側壁を有する第一ロアカバー１７と第二ロアカバー１８とで構成される。
【００１７】
前記第一ロアカバー１７の三つの側壁２０、２１、２２の上端縁には、ケース本体１１の側壁下端部１１ａに支持当接するフランジ部２３を外方に突設させて連続形成している。
第一ロアカバー１７の相対向する側壁２０、２２には、第二ロアカバー１８との接合端２７ａに沿った上部に、後述の第二ロアカバー１８の側部ロック部３９に対応させてロック爪からなる被ロック部２４を形成している。また、該側壁２０、２２には、ケース本体１１とのロック部２５を、前記フランジ部２３よりも上方に突設している。
【００１８】
第一ロアカバー１７の底壁２６は、図２（Ａ）に示すように、第二ロアカバー１８との接続端２７に向かって下方傾斜している。該底壁２６には、第二ロアカバー１８との接続端２７ｂから下方に屈曲させてリブ２８を形成しており、該リブ２８により電線引出口４６内で屈曲する電線と電線の間からの水の浸入を防止している。また、該底壁２６には、結束バンド穴２９を穿設している。
【００１９】
前記第二ロアカバー１８の底部には、第一ロアカバー１７の底壁２６よりも下方位置に電線屈曲引出ガイド部３１を連続一体に設けている。該電線屈曲引出ガイド部３１は、第二ロアカバー１８の本体部３０との間に仕切りがなく、第一、第二ロアカバー１７、１８からの連続空間を形成すると共に、第一ロアカバー１７側端を開口している。
【００２０】
前記第二ロアカバー１８の三つの側壁３２、３３、３４の上端縁には、ケース本体１１の側壁下端部１１ａに支持当接するフランジ部３７を外方に突設させて連続形成している。
第二ロアカバー１８の、第一ロアカバー１７に対向する側壁３３には、ケース本体１１とロック結合するための一対の上部ロック部３８を形成している。該上部ロック部３８は、前記フランジ部３７より上方に側壁３３と一体に突設するロック片３８ａと、側壁３３の上端で該ロック片３８ａを外側にＬ状に屈曲させて先端に形成した係止爪３８ｂとからなる。
【００２１】
第二ロアカバー１８の相対向する一対の側壁３２、３４は、第一ロアカバー１７の側壁２０、２２の外面側に当接する接合壁３５、３６を連続一体に設けた略Ｌ字形状よりなる。この一対の接合壁３５、３６には、ロック穴からなる側部ロック部３９を設けている。
【００２２】
前記ケース本体１１には、組み立て後に前記第二ロアカバー１８の側壁３３と上下に連続する側壁４１の下部に、第二ロアカバー１８の前記一対の上部ロック部３８の係止爪３８ｂを回転可に係止する一対の係止穴からなる被ロック部４４を形成している。
また、ケース本体１１の相対向する側壁４２、４３の下部には、第一ロアカバー１７のロック部２５を係止する係止爪からなる被ロック部４５を形成している。
【００２３】
前記構成の電気接続箱１０を組立工程を以下に説明する。
図２（Ａ）に示すように、ケース本体１１に収容された内部回路材等に電線群Ｗを下方から接続した後、まず、該ケース本体１１の下部に第一ロアカバー１７を被せ、図３（Ａ）に示すように、第一ロアカバー１７のロック部２５とケース本体１１の被ロック部４５とをロック結合させる。このとき、前記電線群Ｗは、第一ロアカバー１７の底壁２６に沿って接合端２７側へガイドされる。
【００２４】
次いで、図２（Ｂ）にも示すように、第二ロアカバー１８の上部ロック部３８の係止爪３８ｂをケース本体１１の前記被ロック部４４に内側から引っかけて、電線群Ｗを前記電線屈曲引出ガイド部３１内に収めながら、被ロック部４４を支点として第二ロアカバー１８を第一ロアカバー１７側に回転させ、図３（Ａ）に示すように、第二ロアカバー１８の側部ロック部３９を第一ロアカバー１７の被ロック部２４にロック結合させる。このとき、電気接続箱１０の底部には、電線屈曲引出ガイド部３１の第一ロアカバー１７側端と前記リブ２８とで囲まれた電線引出口４６が形成されると共に、図３（Ｂ）に示すように、電線屈曲引出ガイド部３１によってガイドされた電線群Ｗが、第一ロアカバー１７の底壁２６の接合端２７を支点として屈曲され、前記電線引出口４６から外部に水平方向に引き出される。
【００２５】
最後に、前記引き出された電線群Ｗを電線結束具として汎用されている結束バンド４７で結束し、該結束バンド４７の係止部（図示せず）を、第一ロアカバー１７の底壁２６に設けた前記結束バンド穴２９に挿入係止する。ケース本体１１の上部にはアッパーカバー１２を被せてロック結合する。
【００２６】
前記構成よりなる電気接続箱は、ケース本体１１の下部に、第一ロアカバー１７および第二ロアカバー１８を組み付ける作業のみで、電線群Ｗを所望の配索方向に屈曲させて引き出すことができる。また、第二ロアカバー１８を第一ロアカバー１７とケース本体１１へ組み付ける作業もワンタッチで完了させることができる。従って、電線群Ｗの配索方向を規制するために特別な別部材を用いる必要がなく、コストを抑制できると共に、作業性を大幅に向上させることができる。
【００２７】
また、前記電線屈曲引出ガイド部３１によって屈曲された電線群Ｗは、第一ロアカバー１７の底壁２６に近接した位置に水平方向に引き出されるうえ、本実施形態では、電線群Ｗを結束した結束バンド４７を前記底壁２６に挿入係止しているため、電線群Ｗを第一ロアカバー１７の底壁２６に容易かつ確実に沿わせて配索することができると共に、該電線群Ｗの垂れ下がり等も防止できるため、電気接続箱１０の総高さを抑制でき、電線長の徒長化も防止できる。
【００２８】
さらに、前記結束バンド４７を用いて電線群Ｗを第一ロアカバー１７の底壁２６に固定することにより、太い電線でも容易に方向規制することができる。
【００２９】
なお、本発明は前記実施形態に限定されるものではない。前記電線屈曲引出ガイド部３１は、第一ロアカバー１７側に突出させて、該第一ロアカバー１７の底壁２６の下部まで延在させてもよい。
【図面の簡単な説明】
【００３０】
【図１】本発明の第一実施形態に係る電気接続箱の分解斜視図である。
【図２】第二ロアカバーの組み付け作業を示し、（Ａ）は説明断面図であり、（Ｂ）は（Ａ）の要部拡大図である。
【図３】第一、第二ロアカバー組み付け後の電気接続箱を示し、（Ａ）は正面図であり、（Ｂ）は説明断面図である。
【図４】従来例の図である。
【符号の説明】
【００３１】
１０  電気接続箱
１１  ケース本体
１３  ロアカバー
１７  第一ロアカバー
１８  第二ロアカバー
２４  （第一ロアカバーの）被ロック部
２５  （第一ロアカバーの）ロック部
３１  電線屈曲引出ガイド部
３８  上部ロック部
３９  側部ロック部
４４、４５  （ケース本体の）被ロック部
Ｗ  電線群
【図１】
0004600333.tif 000002
【図２】
0004600333.tif 000003
【図３】
0004600333.tif 000004
【図４】
0004600333.tif 000005